(57)【要約】【課題】非防水仕様に変更してもがたつきを抑えることができるコネクタを提供する。【解決手段】非防水コネクタ１０と防水コネクタ１０Ａとは、いずれも、外面にリテーナ装着孔２４が開設されたハウジング２０、２０Ａと、リテーナ装着孔２４に挿入されるリテーナ６０とを備える。防水コネクタ１０Ａは、ハウジング２０Ａの外面におけるリテーナ装着孔２４の開口を挟んだ前後両側のうちの後側にシールリング２１０が嵌着されてなる。非防水コネクタ１０は、ハウジング２０の外面の前記後側に規制部３８が突設されてなる。規制部３８は、嵌合状態のフード部１２２の開口側の内面に当接可能とされる。【選択図】図２
2019083109.tif 000002
【特許請求の範囲】
【請求項１】
相手ハウジングのフード部内に前方から嵌合され、端子金具を挿入可能なキャビティを有するハウジングと、
前記ハウジングの外面に開設され、前記キャビティに連通するリテーナ装着孔と、
前記リテーナ装着孔に挿入され、前記キャビティ内の前記端子金具を抜け止め係止するリテーナと、
前記ハウジングの外面における前記リテーナ装着孔の開口を挟んだ前後両側のうち、後側に突設され、嵌合状態の前記フード部の開口側の内面に当接可能な規制部と、を備えるコネクタ。
【請求項２】
前記ハウジングの外面における前記リテーナ装着孔の開口を挟んだ前後両側のうち、前側の領域を覆うようにして、前記ハウジングにフロントマスクが装着される請求項１に記載のコネクタ。
【請求項３】
前記規制部は、前記ハウジングの外面に周方向に間隔をあけて複数設けられている請求項１又は２に記載のコネクタ。
【請求項４】
前記規制部の前面には、面取り状に傾斜した退避面が設けられている請求項１ないし３のいずれか１項に記載のコネクタ。
【請求項５】
非防水コネクタと防水コネクタとを備えたコネクタ構造であって、
前記非防水コネクタと前記防水コネクタとは、いずれも、相手ハウジングのフード部内に前方から嵌合され、端子金具を挿入可能なキャビティを有するハウジングと、前記ハウジングの外面に開設され、前記キャビティに連通するリテーナ装着孔と、前記リテーナ装着孔に挿入され、前記キャビティ内の前記端子金具を抜け止め係止するリテーナと、を備え、
前記非防水コネクタは、さらに、前記ハウジングの外面における前記リテーナ装着孔の開口を挟んだ前後両側のうち、後側に突設され、嵌合状態の前記フード部の開口側の内面に当接可能な規制部を備え、
前記防水コネクタは、さらに、前記ハウジングの外面における前記リテーナ装着孔の開口を挟んだ前後両側のうち、後側に嵌着され、嵌合状態の前記フード部の開口側の内面に弾性的に当接可能なシールリングを備え、
前記非防水コネクタと前記防水コネクタのそれぞれの前記リテーナは、同一形状であるコネクタ構造。
【請求項６】
前記非防水コネクタと前記防水コネクタとは、いずれも、前記ハウジングの外面における前記リテーナ装着孔の開口を挟んだ前後両側のうち、前側の領域を覆うようにして、前記ハウジングにフロントマスクが装着されるものであり、
前記非防水コネクタと前記防水コネクタのそれぞれの前記フロントマスクは、同一形状である請求項５に記載のコネクタ構造。
【請求項７】
前記非防水コネクタと前記防水コネクタとは、いずれも、前記ハウジングの外面の後端部に支軸が突設され、前記支軸に、前記フード部内への前記ハウジングの嵌合を進めるレバーが回動可能に支持されるものであり、
前記非防水コネクタと前記防水コネクタのそれぞれの前記レバーは、同一形状である請求項５又は６に記載のコネクタ構造。
【発明の詳細な説明】
【技術分野】
【０００１】
本発明は、コネクタ及びコネクタ構造に関する。
【背景技術】
【０００２】
特許文献１には、端子金具を挿入可能な複数のキャビティを有するハウジングと、ハウジングの上面に開設され、各キャビティと連通するリテーナ装着孔と、ハウジングの外面におけるリテーナ装着孔を挟んだ前後両側のうちの後側に嵌着されるゴムリングとを備えた防水コネクタが開示されている。
【０００３】
ハウジングのリテーナ装着孔には、各キャビティ内の端子金具を抜け止め係止するリテーナが挿入されて保持される。ハウジングの上面には、リテーナ装着孔の開口からリテーナの一部となる押圧操作部が突出している。ハウジングに嵌着されたゴムリングは、押圧操作部の後方に配置される。このゴムリングは、嵌合状態にあるフード部の開口側の内面に弾性的に当接し、ハウジングとフード部とのがたつきを抑えつつシールをとる役割をはたす。
【先行技術文献】
【特許文献】
【０００４】
【特許文献１】特開２０１６−９１７６１号公報
【発明の概要】
【発明が解決しようとする課題】
【０００５】
ところで、上記防水コネクタの基本的な構成を変えず、非防水コネクタにも適用可能な構成にするように求められることがある。この場合、防水コネクタと非防水コネクタとの間でリテーナ等を共通部品化して流用することができれば、リテーナ等を成形する金型を新設する必要がなく、好ましい。
【０００６】
防水コネクタを非防水仕様に変更するに際し、ゴムリングが不要となるが、ハウジングの外面からゴムリングが外されると、フード部の開口端部とハウジングの外面との間に、外されたゴムリングの厚み分の段差が生じ、フード部とハウジングとが互いにがたつくおそれがある。
【０００７】
本発明は上記のような事情に基づいて完成されたものであって、非防水仕様に変更してもがたつきを抑えることが可能なコネクタを提供することを目的とする。
【課題を解決するための手段】
【０００８】
本発明のコネクタは、相手ハウジングのフード部内に前方から嵌合され、端子金具を挿入可能なキャビティを有するハウジングと、前記ハウジングの外面に開設され、前記キャビティに連通するリテーナ装着孔と、前記リテーナ装着孔に挿入され、前記キャビティ内の前記端子金具を抜け止め係止するリテーナと、前記ハウジングの外面における前記リテーナ装着孔の開口を挟んだ前後両側のうち、後側に突設され、嵌合状態の前記フード部の開口側の内面に当接可能な規制部と、を備えるところに特徴を有する。
【０００９】
また、本発明は、非防水コネクタと防水コネクタとを備えたコネクタ構造であって、前記非防水コネクタと前記防水コネクタとは、いずれも、相手ハウジングのフード部内に前方から嵌合され、端子金具を挿入可能なキャビティを有するハウジングと、前記ハウジングの外面に開設され、前記キャビティに連通するリテーナ装着孔と、前記リテーナ装着孔に挿入され、前記キャビティ内の前記端子金具を抜け止め係止するリテーナと、を備え、前記非防水コネクタは、さらに、前記ハウジングの外面における前記リテーナ装着孔の開口を挟んだ前後両側のうち、後側に突設され、嵌合状態の前記フード部の開口側の内面に当接可能な規制部を備え、前記防水コネクタは、さらに、前記ハウジングの外面における前記リテーナ装着孔の開口を挟んだ前後両側のうち、後側に嵌着され、嵌合状態の前記フード部の開口側の内面に弾性的に当接可能なシールリングを備え、前記非防水コネクタと前記防水コネクタのそれぞれの前記リテーナは、同一形状であるところに特徴を有する。
【発明の効果】
【００１０】
防水コネクタにおいては、ハウジングとフード部との間のシールをとるため、ハウジングの外面にシールリングが嵌着される。防水コネクタを非防水仕様に変更する場合、ハウジングの外面におけるリテーナ装着孔の開口を挟んだ前後両側のうちの後側（以下、「リテーナ装着孔の後側」とする）に嵌着されたシールリングが不要となる。非防水仕様に変更するに際し、嵌合状態のフード部の開口側の内面とリテーナ装着孔の後側との間に隙間が生じ、フード部とハウジングとが互いにがたつくことが懸念される。しかし、本発明の場合、リテーナ装着孔の後側に規制部が突設され、規制部が嵌合状態のフード部の開口側の内面に当接可能に配置されるため、フード部とハウジングとのがたつきを抑えることができる。
【００１１】
上記によれば、リテーナ装着孔の後側以外の部分の形状変更を伴わずに非防水コネクタを構成することができ、非防水コネクタと防水コネクタとの間でリテーナを同一形状として共用することができる。その結果、防水コネクタを非防水コネクタの仕様に変更する際に、非防水用リテーナを成形するための新規金型を起こす必要がなく、コストを低減することができる。
【図面の簡単な説明】
【００１２】
【図１】実施例１において、非防水コネクタの分解斜視図である。
【図２】非防水コネクタと相手コネクタとが正規嵌合された状態を示す断面図である。
【図３】図２の部分拡大図である。
【図４】非防水コネクタのハウジングの平面図である。
【図５】非防水コネクタのハウジングの正面図である。
【図６】非防水コネクタのハウジングの底面図である。
【図７】非防水コネクタのハウジングの側面図である。
【図８】防水コネクタの分解斜視図である。
【図９】防水コネクタの断面図である。
【図１０】相手コネクタの正面図である。
【発明を実施するための形態】
【００１３】
本発明の好ましい実施形態を以下に示す。
前記ハウジングの外面における前記リテーナ装着孔の開口を挟んだ前後両側のうち、前側の領域を覆うようにして、前記ハウジングにフロントマスクが装着される。防水コネクタを非防水仕様としても、ハウジングの前記前側の領域の構造を変更せずに済むため、防水コネクタと非防水コネクタとの間でフロントマスクを同一形状として共用することができ、コストをより低減することができる。さらに、防水コネクタと非防水コネクタとの間でレバーを同一形状として共用することもできる。
【００１４】
前記規制部は、前記ハウジングの外面に周方向に間隔をあけて複数設けられている。これによれば、コネクタのがたつきを全方位的に抑えることができる。
【００１５】
前記規制部の前面には、面取り状に傾斜した退避面が設けられている。これによれば、嵌合過程のフード部の開口端部が規制部の前面に突き当たるのが防止される。その結果、両ハウジングの嵌合作業を円滑に進めることができる。また、例えば、フード部の開口端部が規制部の退避面に沿って摺動することになれば、フード部の傾きを矯正することができる。
【００１６】
＜実施例１＞
以下、実施例１を図面に基づいて説明する。本実施例１は、非防水コネクタ１０と防水コネクタ１０Ａとを備え、非防水仕様または防水仕様のユーザニーズに応じ、いずれかのコネクタ１０、１０Ａを選択して使用可能とされている。嵌合相手となる相手コネクタ１００は、非防水コネクタ１０と防水コネクタ１０Ａの双方で実質的に同一形状で構成されている。なお、以下の説明において、前後方向については、嵌合開始時にコネクタ（非防水コネクタ１０、防水コネクタ１０Ａ）と相手コネクタ１００とが互いに向き合う面側を前側とする。
【００１７】
［相手コネクタ１００］
図１０に示すように、相手コネクタ１００は、相手ハウジング１２０と、複数の相手端子金具１９０とを備えている。相手ハウジング１２０は合成樹脂製であって、図２に示すように、プリント回路基板３００に実装され、左右方向に沿った背板状の基部１２１と、基部１２１から前方に突出する複数のフード部１２２とを有している。図１０に示すように、各フード部１２２は、左右横並びで３つ配置されている。各フード部１２２の内面の左右両側には、複数の突出部１２３が設けられている。各突出部１２３は、フード部１２２毎に異なる配置で構成されている。
【００１８】
各フード部１２２の外面の上下両側には、円柱状のカムフォロア１２４が対をなして突設されている。各カムフォロア１２４は、対応するフード部１２２の左右中央から偏心して配置されている。また、各フード部１２２の外面の上下両側には、各カムフォロア１２４のほぼ前方に、扁平リブ状の解除部１２５が対をなして突設されている。図３に示すように、フード部１２２の前端部（開口端部）の内面には、後述するハウジング２０を誘い込むテーパ状の誘い込み面１２６が設けられている。
【００１９】
図２に示すように、基部１２１には、複数の孔１２７が整列して設けられ、各孔１２７に、相手端子金具１９０が圧入して保持されている。
相手端子金具１９０は導電金属製であって、前後方向に沿った端子接続部１９１と、上下方向に沿った基板接続部１９２とを有し、側面視Ｌ字形に形成されている。端子接続部１９１は、基部１２１の孔１２７を貫通してフード部１２２内に突出して配置される。基板接続部１９２は、基部１２１の後方位置から垂下し、その下端部がプリント回路基板３００の導電部分に電気的に接続される。
【００２０】
基部１２１の上端部には、上側覆い部１２８が前方に突出して設けられている。上側覆い部１２８は、フード部１２２の上面とほぼ平行な平板状をなし、各フード部１２２と対応する位置に、３つのロック孔１２９を有している。基部１２１の下端部には、各フード部１２２と対応する位置に、３つの下側覆い部１３１が前方に突出して設けられている。各下側覆い部１３１は、フード部１２２の下面とほぼ平行な水平部分と、フード部１２２の下面につながる垂直部分とを有し、正面視Ｌ字形に形成されている。
【００２１】
［非防水コネクタ１０］
図１に示すように、非防水コネクタ１０は、ハウジング２０、リテーナ６０、フロントマスク７０、レバー８０及び端子金具９０（図２を参照）を備えている。ハウジング２０は、相手コネクタ１００の各フード部１２２のうち、図１０の左側のフード部１２２内に嵌合される。
【００２２】
ハウジング２０は合成樹脂製であって、図４〜図７に示すように、全体としてブロック状のハウジング本体２１を有している。ハウジング本体２１には、複数のキャビティ２２が前後に貫通して設けられている。図２及び図５に示すように、各キャビティ２２の内面の上壁部分には、ランス２３が前方に突出して設けられている。図１、図４及び図７に示すように、各キャビティ２２のうち、最上段の各キャビティ２２は、前部上面を覆う外壁部分が切り欠かれた形態になっており、最上段の各ランス２３は、露出している。図２に示すように、各キャビティ２２には後方から端子金具９０が挿入される。各端子金具９０は、各キャビティ２２内でランス２３に弾性的に係止されて一次的に抜け止めされる。
【００２３】
また、図２に示すように、ハウジング本体２１の上面には、前後中央寄りの位置に、リテーナ装着孔２４が開設されている。リテーナ装着孔２４は、ハウジング本体２１の上面に開口する開口部２５から下方に延び、各キャビティ２２と交差連通する形態になっている。リテーナ装着孔２４には、開口部２５を通して上方からリテーナ６０が挿入される。
【００２４】
図５に示すように、ハウジング本体２１の左右両側面の上端部には、その下部側に対し内側へ段差状に凹んだ凹所２６が設けられている。図７に示すように、リテーナ装着孔２４の両側面の上端部は、凹所２６に開口している。
【００２５】
ハウジング本体２１の凹所２６には、仮係止受部２７と本係止受部２８とが上下に並んで設けられている。仮係止受部２７と本係止受部２８とは、いずれも前後方向にリブ状に延びる形態とされ、リテーナ６０の後述する係止部６６に係止可能とされている。
【００２６】
ハウジング本体２１の左右両側面には、上下方向に延びて上端が凹所２６の下端縁に開口する係止受溝２９が対をなして設けられている。係止受溝２９は、フロントマスク７０の図示しない係止突起を係止可能とされている。
【００２７】
ハウジング本体２１の左右両側面の下端部には、下側二段の各キャビティ２２間の位置に、凹陥部３１が対をなして開設されている。図１及び図５に示すように、各凹陥部３１は、前後方向に延びてハウジング本体２１の前面に開口するスリット溝状の形態になっている。
【００２８】
ハウジング本体２１の外面の後端部には、その前部側に対し外側へ段差状に突出した基台部３２が周設されている。基台部３２の上下両面の後端部には、支軸３３が対をなして突設されている。各支軸３３は、ハウジング２０の左右中央から偏心して配置されている。各支軸３３には、レバー８０が回動可能に支持される。
【００２９】
ハウジング２０には、基台部３２からいったん外側に張り出したあと前方へ短く突出する筒状の嵌合部３４が設けられている。図４及び図６に示すように、嵌合部３４の上下両壁部分の前端には、左右両側を残して後方へ凹む凹部３５が設けられている。さらに、嵌合部３４の上下両壁部分には、支軸３３の前方に、凹部３５の奥端から後方へ凹む逃がし凹部３６が設けられている。各逃がし凹部３６には、両ハウジング２０、１２０の嵌合時に対応するカムフォロア１２４が進入して逃がされる。図５及び図６に示すように、嵌合部３４の下壁部分には、この下壁部分の外面に間隔をあけて対向する外壁３７が設けられている。
【００３０】
図２〜図４に示すように、ハウジング本体２１の外面には、リテーナ装着孔２４の開口部２５を挟んだ前後両側のうちの後側に、複数の規制部３８が突設されている。各規制部３８は、前後方向に一定幅で延びて後端が基台部３２の前面（段差面）に一体に連結されるリブ状の形態になっている。
図５に示すように、各規制部３８は、ハウジング本体２１の外面に周方向に適宜間隔をあけて配置される。具体的には、各規制部３８は、ハウジング本体２１の４面ぞれぞれに３つずつ配置されており、より詳細には、ハウジング本体２１の上下両面のそれぞれの左右中央部と左右両端部とに配置されているとともに、ハウジング本体２１の左右両側面のそれぞれの上下中央部と上下両端部とに配置されている。
【００３１】
図７に示すように、ハウジング本体２１の左右両側面のそれぞれに設けられた３つの規制部３８は、外側を嵌合部３４の左右両側壁で覆われており、側方から見えない状態になっている。一方、図４及び図６に示すように、ハウジング本体２１の上下両面のそれぞれに設けられた３つの規制部３８のうち、端側の１つの規制部３８は、嵌合部３４の逃がし凹部３６を通して上下方向から視認可能な状態になっている。もっとも、視認可能な規制部３８も、支軸３３にレバー８０が取り付けられることで、外側を後述するカム板部８１で覆われ、上下方向から見えない状態になる。
【００３２】
各規制部３８は、断面略矩形状をなし、図３に示すように、前後方向に沿った外端面３９と、上下方向に沿った前端面４１と、前端面４１から外端面３９へ向けて漸次外側に傾斜するテーパ状の退避面４２とを有している。言い換えれば、退避面４２は、規制部３８の前端角部を面取りした形状になっている。また、各規制部３８の外端面３９と嵌合部３４の奥面との間は、前後方向に対して退避面４２より緩い傾斜角の斜面４３を介してつながっている。
【００３３】
端子金具９０は導電金属製であって、図２に示すように、箱状の箱部９１と、箱部９１の後方に連なるオープンバレル状のバレル部９２とを有し、全体として前後方向に細長い形態になっている。箱部９１には、相手端子金具１９０の端子接続部１９１が挿入されて接続される。バレル部９２は、電線５０の端末部に圧着して接続される。
【００３４】
リテーナ６０は合成樹脂製であって、図１に示すように、上下方向及び左右方向に沿い且つ前後方向に所定厚みを有するリテーナ本体６１と、リテーナ本体６１の上端部から前後両方向に張り出す平板状の操作部６２と、操作部６２の左右両端部から垂下し、後部がリテーナ本体６１の左右両側面に一体化する一対の係止片部６３とを有している。
【００３５】
リテーナ本体６１は、リテーナ装着孔２４に挿入される。リテーナ本体６１には、各キャビティ２２（最下段の各キャビティ２２を除く）と対応する位置に、複数の貫通孔６４が前後に貫通して設けられている。各貫通孔６４の内面の上壁部分には、それぞれ抜止部６５が突出して設けられている。各抜止部６５は、最下段の各キャビティ２２に対応して、リテーナ本体６１の下端部にも並設されている。
【００３６】
各係止片部６３には、互いに対向する内面に、係止部６６が対をなして設けられている。係止部６６の下端部は、仮係止受部２７及び本係止受部２８のそれぞれに係止可能な爪状の形態になっている。リテーナ６０は、ハウジング２０に対し、係止部６６の下端部が仮係止受部２７に係止される仮係止位置と、係止部６６の下端部が本係止受部２８に係止される本係止位置とに、それぞれ保持される。
【００３７】
仮係止位置では、操作部６２がリテーナ装着孔２４の開口部２５から上方へ大きく突出し、各抜止部６５が各キャビティ２２から退避して配置され、各キャビティ２２への端子金具９０の挿入が許容される。図２に示すように、本係止位置では、操作部６２がリテーナ装着孔２４の開口部２５から上方へ小さく突出し、各抜止部６５が各キャビティ２２に進入して、各キャビティ２２に挿入された端子金具９０の箱部９１の後端に対向し、各端子金具９０が二次的に抜け止めされる。
【００３８】
また、リテーナ６０が仮係止位置にあるときに、操作部６２が下方へ押圧されることにより、係止片部６３が撓み変形して、係止部６６と仮係止受部２７との係止が解除され、リテーナ６０が本係止位置へ向けて移動（下降）する。リテーナ６０が本係止位置に至ると、係止片部６３が弾性復帰して凹所２６に嵌着され、係止部６６と本係止受部２８とが係止状態になる。リテーナ６０が本係止位置にあるときに、図２及び図３に示すように、操作部６２の平坦な上面は、ハウジング本体２１の上面に配置された各規制部３８の上面と同じ位置か、あるいは各規制部３８の上面より少し高い位置に配置される。
【００３９】
フロントマスク７０は合成樹脂製であって、図１に示すように、上下方向及び左右方向に沿った略矩形板状の前壁部７１と、前壁部７１の外端部から後方へ突出する略角筒状の周壁部７２とを有している。
【００４０】
前壁部７１は、ハウジング本体２１の前面を覆うように配置される。前壁部７１には、各キャビティ２２と対応する位置に、複数の挿通孔７３が前後に貫通して設けられている。前壁部７１の各挿通孔７３には、両ハウジング２０、１２０の嵌合時に、各相手端子金具１９０の端子接続部１９１が前方から挿入される。図２に示すように、各ランス２３は、前壁部７１で前方を覆われることにより、保護された状態になる。
【００４１】
図１に示すように、周壁部７２の左右両側壁７５には、ハウジング本体２１の各凹陥部３１と対応する位置に、凹溝７４が対をなして設けられている。各凹溝７４は、前後方向に延びて前壁部７１の前面に開口するスリット溝状の形態になっている。各凹溝７４には、両ハウジング２０、１２０の嵌合時に、対応する突出部１２３が進入して配置される。これにより、ハウジング２０が対応するフード部１２２に正規姿勢で嵌合される状態が担保される。
【００４２】
また、周壁部７２の左右両側壁７５の内面には、上下方向に延びる図示しない係止突起が対をなして設けられている。各係止突起がハウジング本体２１の各係止受溝２９を弾性的に係止することで、フロントマスク７０がハウジング本体２１に抜け止め状態に保持される。
【００４３】
周壁部７２は、ハウジング本体２１の外面のうちの４面前部を覆うように配置される。周壁部７２の左右両側壁７５がリテーナ６０の各係止片部６３を覆うことで、各係止片部６３の開き変形が規制され、もって係止部６６の係止信頼性を高めることができる。周壁部７２の上壁７６と左右両側壁７５との間には、フロントマスク７０がハウジング２０に装着された状態で、リテーナ６０の操作部６２が進入する切欠部７７が設けられている。
【００４４】
レバー８０は同じく合成樹脂製であって、図１に示すように、全体として門型板状をなし、上下一対のカム板部８１と、各カム板部８１をつなぐ上下方向に沿った連結部８２とを有している。各カム板部８１には、それぞれ、支軸３３を受ける軸受孔８３と、所定方向に延びて外周縁に開口するカム溝８４とが設けられている。各カム板部８１の外周縁には、軸受孔８３とカム溝８４との間に、片持ち状に延びる仮係止片８５が撓み可能に設けられている。
【００４５】
上側のカム板部８１には、後方に片持ち状に延出するロック部８６が撓み可能に設けられている。ロック部８６の上面には、爪状のロック突起８７が設けられている。下側のカム板部８１の外周には、薄肉の進入縁部８８が設けられている。
【００４６】
レバー８０は、ハウジング２０に後方から跨るように配置され、各軸受孔８３に各支軸３３を嵌合させた状態で、ハウジング２０に対し、各支軸３３を中心として仮係止位置と本係止位置とに回動可能とされている。このとき、各カム板部８１は、嵌合部３４の上下両壁を覆うように配置される。
【００４７】
仮係止位置では、仮係止片８５が嵌合部３４の縁部に当接することで、レバー８０の本係止位置への回動が規制される。両ハウジング２０、１２０の嵌合開始時に、仮係止片８５と嵌合部３４との係止が解除部１２５によって解除され、レバー８０の本係止位置への回動が許容される。また、両ハウジング２０、１２０の嵌合開始時に、各カムフォロア１２４が逃がし凹部３６を通して各カム溝８４の入り口に進入する。
【００４８】
連結部８２を摘みつつレバー８０を本係止位置へ向けて回動させる。すると、各カムフォロア１２４が各カム溝８４の溝面を摺動し、レバー８０と相手ハウジング１２０との間にカム機構がはたらいて、両ハウジング２０、１２０の嵌合動作が進行する。レバー８０が本係止位置に至ると、ロック部８６のロック突起８７がロック孔１２９に弾性的に嵌り込み、レバー８０の回動が規制される（図２を参照）。また、本係止位置では、各カムフォロア１２４が各カム溝８４の奥側に移行し、両ハウジング２０、１２０が正規深さで嵌合される。同時に、両端子金具９０、１９０が正規状態で電気的に接続される。レバー８０が回動される間、下側のカム板部８１の進入縁部８８が下側覆い部１３１と外壁３７のそれぞれの内側空間に進入して下側覆い部１３１と外壁３７とにそれぞれ当接可能とされる。また、上側のカム板部８１が上側覆い部１２８の内側空間に進入して上側覆い部１２８に当接可能とされる。これにより、各カム板部８１が外側に拡開変形するのが防止される。
【００４９】
本実施例１の非防水コネクタ１０の場合、ハウジング本体２１の外面におけるリテーナ装着孔２４の開口部２５を挟んだ前後両側のうち、前側（以下、「リテーナ装着孔２４の前側」とする）は、フロントマスク７０の周壁部７２及び前壁部７１によって覆われ、後側（以下、「リテーナ装着孔２４の後側」とする）は、リテーナ装着孔２４に近い部分を操作部６２と周壁部７２のそれぞれの後部によって覆われる。
【００５０】
また、ハウジング本体２１の外面におけるリテーナ装着孔２４の後側は、基台部３２に近い部分に、各規制部３８が設けられている。上側の各規制部３８は、周壁部７２の上壁７６及び操作部６２と前後に並んで配置され、下側及び左右両側の各規制部３８は、周壁部７２の下壁７８及び左右両側壁７５と前後に並んで配置される。また、上側の各規制部３８の外端面３９は、周壁部７２の上壁７６の外面及び操作部６２の外面とほぼ同一平面方向に並んで配置され、下側及び左右両側の各規制部３８の外端面３９は、周壁部７２の下壁７８の外面及び左右両側壁７５のそれぞれの外面とほぼ同一平面方向に並んで配置される。
【００５１】
ハウジング２０がフード部１２２内に嵌合されると、図３に示すように、フード部１２２の内面は、周壁部７２及び操作部６２のそれぞれの外面に沿って当接可能に配置されるとともに、各規制部３８の外端面３９に沿って当接可能に配置される。フード部１２２の誘い込み面１２６は、ハウジング２０の斜面４３に沿って当接可能に配置される。このため、ハウジング２０は、フード部１２２内にがたつきを抑えられた状態で嵌合される。
【００５２】
特に、各規制部３８は、操作部６２の後端と基台部３２との間、及び周壁部７２の後端と基台部３２との間において、フード部１２２の開口端部の内面に当接又は近接することから、ハウジング２０に対してフード部１２２の開口端部が遊動するのを効果的に抑えることができる。しかも、各規制部３８がハウジング２０の４面それぞれに周方向に適宜間隔をあけて設けられているため、コネクタ１０、１００のがたつきを全方位的に効果的に抑えることができる。
【００５３】
また、両ハウジング２０、１２０の嵌合過程で、フード部１２２の開口端部が各規制部３８の前端角部に突き当たるのが退避面４２によって回避されるため、両ハウジング２０、１２０の嵌合を円滑に進めることができる。ここで、仮に、両ハウジング２０、１２０の嵌合姿勢が前後方向に対して傾斜した状態になっても、フード部１２２の開口端部が退避面４２を摺動することで両ハウジング２０、１２０の傾き姿勢が矯正される。
【００５４】
［防水コネクタ１０Ａ］
防水コネクタ１０Ａは、図８及び図９に示すように、ハウジング２０Ａ、リテーナ６０、フロントマスク７０、レバー８０、シールリング２１０、一括型のゴム栓２２０、リアホルダ２３０及び端子金具９０（図９を参照）を備えている。このうち、リテーナ６０、フロントマスク７０、レバー８０及び端子金具９０は、それぞれ非防水コネクタ１０のそれと同一形状である。このため、これら部材を非防水コネクタ１０と防水コネクタ１０Ａとの間で流用することができる。ハウジング２０Ａは、非防水コネクタ１０のハウジング２０と共通する部分を多く含み、リテーナ装着孔２４の後側を除いてハウジング２０と実質的に同一形状になっている。つまり、リテーナ６０、フロントマスク７０及びレバー８０の各装着領域がハウジング２０、２０Ａ間で共通構造になっており、これによってリテーナ６０、フロントマスク７０及びレバー８０の共通部品化が可能となっている。なお、以下のハウジング２０Ａの構造は、非防水コネクタ１０のハウジング２０と異なる部分を中心に説明する。また、防水コネクタ１０と実質的に同一又は相当する部分については同一符号を付す。
【００５５】
ハウジング２０Ａは、ハウジング本体２１の外面におけるリテーナ装着孔２４の後側に前後方向に沿ったシール面４４を有している。ハウジング本体２１のシール面４４は、段差なく連続する平坦面であって、シールリング２１０に密着される。シールリング２１０はゴム製であって、正面視において略矩形環状をなし、ハウジング本体２１の外面に嵌着可能な形態になっている。基台部３２の前面（段差面）の外端部には、前方へ小さく突出する押さえ片４５が設けられている。図９に示すように、シール面４４に密着したシールリング２１０は、押さえ片４５によって外側への位置ずれが規制される。
【００５６】
ハウジング本体２１の後端部には、ゴム栓収容部４６が後面に開口して設けられている。ゴム栓収容部４６の奥面は、前後方向に関してきたシール面４４より少し後方に位置し、各キャビティ２２の後端の開口面になっている。
【００５７】
ゴム栓２２０はゴム製であって、上下方向及び左右方向に沿い且つ前後方向に所定厚みのマット状をなし、ゴム栓収容部４６に後方から挿入される。ゴム栓２２０には、各キャビティ２２と対応する位置に、複数のシール孔２２１が前後方向に貫通して設けられている。ゴム栓２２０の外周面には、外周リップ２２２が周設されている。
【００５８】
リアホルダ２３０は合成樹脂製であって、上下方向及び左右方向に沿い且つ前後方向に所定厚みを有している。リアホルダ２３０には、各キャビティ２２及び各シール孔２２１と対応する位置に、複数の挿通孔２３１が前後方向に貫通して設けられている。リアホルダ２３０の上下両面及び左右両側面には、それぞれリアホルダロック部２３２が設けられている。ハウジング本体２１の左右両側面の後端部には、各リアホルダロック部２３２と対応する位置に、複数のリアホルダロック受部４７が貫設されている。
【００５９】
組み付けに際し、ハウジング本体２１のゴム栓収容部４６にゴム栓２２０及びリアホルダ２３０が順次挿入される（図９を参照）。各リアホルダロック部２３２が各リアホルダロック受部４７を弾性的に係止することにより、リアホルダ２３０がハウジング本体２１に保持されるとともに、ゴム栓２２０のゴム栓収容部４６からの抜け出しが規制される。
【００６０】
図示しないが、端子金具９０（図２を参照）は、リアホルダ２３０の挿通孔２３１からゴム栓２２０のシール孔２２１を経てキャビティ２２内に挿入される。端子金具９０がキャビティ２２に正規挿入されると、端子金具９０に接続された電線５０がシール孔２２１の内周面に弾性的に密着し、電線５０の周囲のシールがとられる。また、ゴム栓２２０の外周リップ２２２がゴム栓収容部４６の内周面に弾性的に密着することで、ゴム栓収容部４６内ひいてはハウジング２０Ａ内のシールがとられる。
【００６１】
ハウジング本体２１のシール面４４には前方からシールリング２１０が嵌着される。シールリング２１０は、基台部３２と操作部６２との間に前後方向に位置決めされた状態で配置される。両ハウジング２０、１２０の嵌合時に、フード部１２２の内面がシールリング２１０に弾性的に密着し、フード部１２２とハウジング本体２１との間にシールリング２１０が挟着されて、両ハウジング２０、１２０間のシールがとられる。こうして防水コネクタ１０Ａの防水性が確保される。
【００６２】
以上のように、防水コネクタ１０Ａは、非防水コネクタ１０との間で、リテーナ６０、フロントマスク７０及びレバー８０を共通部品化し、互いに流用することができる。また、リテーナ装着孔２４を含むリテーナ６０の装着領域、フロントマスク７０の装着領域及び支軸３３を含むレバー８０の装着領域は、防水コネクタ１０Ａのハウジング２０Ａと非防水コネクタ１０のハウジング２０との間で同一形状になる。その結果、これらを成形する金型の製作費や管理費などを節約することができ、コストを低減することができる。
【００６３】
＜他の実施例＞
以下、他の実施例を簡単に説明する。
（１）非防水コネクタと防水コネクタとの間でフロントマスクを共通部品化することは任意であり、例えば、非防水コネクタと防水コネクタのいずれかからフロントマスクを省略することも可能である。
（２）非防水コネクタと防水コネクタとの間でレバーを共通部品化することは任意であり、例えば、非防水コネクタと防水コネクタのいずれかからレバーを省略することも可能である。
（３）防水コネクタにおいては、一括型のゴム栓の代わりに、各端子金具の電線に個別に嵌着される個別型のゴム栓を用いてもよい。個別型のゴム栓を用いる場合、リアホルダが不要となり、ハウジングからゴム栓収容部を省略することができる。
（４）規制部は、ハウジングの外面のうちの少なくとも１面に設けられていればよく、必ずしも、４面それぞれに設けられる必要はない。
（５）規制部は、両ハウジングの嵌合時に、フード部の内面に強固に当接し、部分的に圧潰されるものであってもよい。
【符号の説明】
【００６４】
１０…非防水コネクタ
１０Ａ…防水コネクタ
２０…ハウジング（非防水コネクタ）
２０Ａ…ハウジング（防水コネクタ）
２２…キャビティ
２４…リテーナ装着孔
３８…規制部
４２…退避面
４４…シール面
６０…リテーナ
７０…フロントマスク
８０…レバー
９０…端子金具
１００…相手コネクタ
１２０…相手ハウジング
１２２…フード部
２１０…シールリング
【図１】
2019083109.tif 000003
【図２】
2019083109.tif 000004
【図３】
2019083109.tif 000005
【図４】
2019083109.tif 000006
【図５】
2019083109.tif 000007
【図６】
2019083109.tif 000008
【図７】
2019083109.tif 000009
【図８】
2019083109.tif 000010
【図９】
2019083109.tif 000011
【図１０】
2019083109.tif 000012